(57)【要約】  本発明は、高速下りパケットアクセス（ＨＳＤＰＡ）のための移動体データ伝送システムにおける、ＭＡＣ−ｈｓスケジューラのための方法およびシステムに関する。本システムは、少なくとも１つのユーザ装置（ＵＥ）を含むセルを運用する少なくとも１つの基地局（ＢＴＳ）を制御するための無線ネットワーク制御装置（ＲＮＣ）を含む。前記無線ネットワーク制御装置（ＲＮＣ）は、前記基地局（ＢＴＳ）からの伝送におけるアイドル期間（ＩＰＤＬ）をスケジューリングする。前記ＭＡＣ−ｈｓスケジューラは前記基地局（ＢＴＳ）に配置されており、前記ユーザ装置（ＵＥ）が高速物理下り共有チャネル（ＨＳ−ＰＤＳＣＨ）でのデータ伝送を許可されるか否かを高速伝送時間間隔（ＨＳ−ＴＴＩ）毎に決定する。
2008501290.tif 000002
【特許請求の範囲】
【請求項１】
少なくとも１つのユーザ装置（ＵＥ）を含むセルを運用する少なくとも１つの基地局（ＢＴＳ）を制御するための無線ネットワーク制御装置（ＲＮＣ）を含む、高速下りパケットアクセス（ＨＳＤＰＡ）のための移動体データ伝送システムにおける、ＭＡＣ−ｈｓスケジューラのための方法であって、
前記無線ネットワーク制御装置（ＲＮＣ）が、前記基地局（ＢＴＳ）からの伝送におけるアイドル期間（ＩＰＤＬ）をスケジューリングし、
前記基地局（ＢＴＳ）に配置されている前記ＭＡＣ−ｈｓスケジューラが、前記ユーザ装置（ＵＥ）が高速物理下り共有チャネル（ＨＳ−ＰＤＳＣＨ）でのデータ伝送を許可されるか否かを高速伝送時間間隔（ＨＳ−ＴＴＩ）毎に決定し、
前記ＭＡＣ−ｈｓスケジューラが、前記アイドル期間を確認し、前記高速伝送時間間隔（ＨＳ−ＴＴＩ）が少なくとも１つのアイドル期間と同時に発生する場合は前記高速物理下り共有チャネル（ＨＳ−ＰＤＳＣＨ）でのデータ伝送を禁止する
ことを特徴とする方法。
【請求項２】
前記無線ネットワーク制御装置（ＲＮＣ）が、少なくとも１／２スロット乃至１スロット長のアイドル期間をスケジューリングし、
１スロットは、高速伝送時間間隔（ＨＳ−ＴＴＩ）の１／３である
ことを特徴とする請求項１に記載の方法。
【請求項３】
前記高速伝送時間間隔（ＨＳ−ＴＴＩ）は２ミリ秒間のデータ伝送を可能にすることを特徴とする請求項１又は２に記載の方法。
【請求項４】
前記ＭＡＣ−ｈｓスケジューラが、ＭＡＣ−ｈｓ副層（ＭＡＣ−ｈｓ）および物理層（ＰＨＹ）の上にまたがっていることを特徴とする請求項１乃至３のいずれか１項に記載の方法。
【請求項５】
少なくとも１つのユーザ装置（ＵＥ）を含むセルを運用する少なくとも１つの基地局（ＢＴＳ）を制御するための無線ネットワーク制御装置（ＲＮＣ）を含む、高速下りパケットアクセス（ＨＳＤＰＡ）のための移動体データ伝送システムであって、
前記無線ネットワーク制御装置（ＲＮＣ）が、前記基地局（ＢＴＳ）からの伝送におけるアイドル期間（ＩＰＤＬ）をスケジューリングする手段を含み、
前記基地局（ＢＴＳ）に配置されているＭＡＣ−ｈｓスケジューラが、前記ユーザ装置（ＵＥ）が高速物理下り共有チャネル（ＨＳ−ＰＤＳＣＨ）でのデータ伝送を許可されるか否かを高速伝送時間間隔（ＨＳ−ＴＴＩ）毎に決定するようになされ、
前記ＭＡＣ−ｈｓスケジューラが、前記アイドル期間を確認し、前記高速伝送時間間隔（ＨＳ−ＴＴＩ）が少なくとも１つのアイドル期間と同時に発生する場合は前記高速物理下り共有チャネル（ＨＳ−ＰＤＳＣＨ）でのデータ伝送を禁止するようになされる
ことを特徴とする移動体データ伝送システム。
【請求項６】
各々のアイドル期間は、少なくとも１／２スロット乃至１スロット長であり、
１スロットは、高速伝送時間間隔（ＨＳ−ＴＴＩ）の１／３である
ことを特徴とする請求項５に記載の移動体データ伝送システム。
【請求項７】
前記高速伝送時間間隔（ＨＳ−ＴＴＩ）は２ミリ秒であることを特徴とする請求項５又は６に記載の移動体データ伝送システム。
【請求項８】
前記ＭＡＣ−ｈｓスケジューラが、ＭＡＣ−ｈｓ副層（ＭＡＣ−ｈｓ）および物理層（ＰＨＹ）の上にまたがっていることを特徴とする請求項５乃至７のいずれか１項に記載の移動体データ伝送システム。
【発明の詳細な説明】
【技術分野】
【０００１】
本発明は、アイドル期間中のＨＳＤＰＡによる伝送を防止することに関する。
【背景技術】
【０００２】
［略語］
３ＧＰＰ          第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）
ＡＲＱ            自動再送要求（Ａｕｔｏｍａｔｉｃ  Ｒｅｐｅａｔ  Ｒｅｑｕｅｓｔ）
ＢＴＳ            基地局（Ｂａｓｅ  Ｔｒａｎｓｃｅｉｖｅｒ  Ｓｔａｔｉｏｎ）
ＣＰＩＣＨ        共通パイロットチャネル（Ｃｏｍｍｏｎ  Ｐｉｌｏｔ  Ｃｈａｎｎｅｌ）
ＦＤＤ            周波数分割複信（Ｆｒｅｑｕｅｎｃｙ  Ｄｉｖｉｓｉｏｎ  Ｄｕｐｌｅｘ）
ＨＡＲＱ          ハイブリッド自動再送要求（Ｈｙｂｒｉｄ  Ａｕｔｏｍａｔｉｃ  Ｒｅｐｅａｔ  Ｒｅｑｕｅｓｔ）
ＨＳ−ＤＡＴＡ    高速データ（Ｈｉｇｈ  Ｓｐｅｅｄ  ｄａｔａ）
ＨＳＤＰＡ        高速下りパケットアクセス（Ｈｉｇｈ  Ｓｐｅｅｄ  Ｄｏｗｎｌｉｎｋ  Ｐａｃｋｅｔ  Ａｃｃｅｓｓ）
ＨＳ−ＤＰＣＣＨ  高速個別物理制御チャネル（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）
ＨＳ−ＤＳＣＨ    高速下り共有チャネル（Ｈｉｇｈ  Ｓｐｅｅｄ  Ｄｏｗｎｌｉｎｋ  Ｓｈａｒｅｄ  Ｃｈａｎｎｅｌ）
ＨＳ−ＰＤＳＣＨ  高速物理下り共有チャネル（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）
ＨＳ−ＳＣＣＨ    高速シグナリング制御チャネル（Ｈｉｇｈ  Ｓｐｅｅｄ  Ｓｉｇｎａｌｉｎｇ  Ｃｏｎｔｒｏｌ  Ｃｈａｎｎｅｌ）
ＨＳ−ＴＴＩ      高速伝送時間間隔（Ｈｉｇｈ  Ｓｐｅｅｄ  Ｔｒａｎｓｍｉｓｓｉｏｎ  Ｔｉｍｅ  Ｉｎｔｅｒｖａｌ，  サブフレームとしても知られる）
ＭＡＣ            媒体アクセス制御（Ｍｅｄｉｕｍ  Ａｃｃｅｓｓ  Ｃｏｎｔｒｏｌ）
ＭＡＣ−ｄ        個別チャネル向けＭＡＣ（ＭＡＣ−ｄｅｄｉｃａｔｅｄ）
ＭＡＣ−ｈｓ      ＨＳ−ＤＳＣＨ向けＭＡＣ（ＭＡＣ−Ｈｉｇｈ  Ｓｐｅｅｄ）
ＱＡＭ            直交振幅変調（Ｑｕａｄｒａｔｕｒｅ  Ａｍｐｌｉｔｕｄｅ  Ｍｏｄｕｌａｔｉｏｎ）
ＲＡＮ            無線アクセスネットワーク（Ｒａｄｉｏ  Ａｃｅｓｓ  Ｎｅｔｗｏｒｋ）
ＲＬＣ            無線リンク制御（Ｒａｄｉｏ  Ｌｉｎｋ  Ｃｏｎｔｒｏｌ）
ＲＮＣ            無線ネットワーク制御装置（Ｒａｄｉｏ  Ｎｅｔｗｏｒｋ  Ｃｏｎｔｒｏｌｌｅｒ）
ＳＦＮ            システムフレーム番号（Ｓｙｓｔｅｍ  Ｆｒａｍｅ  Ｎｕｍｂｅｒ）
ＴＤＤ            時分割複信（Ｔｉｍｅ  Ｄｉｖｉｓｉｏｎ  Ｄｕｐｌｅｘ）
ＵＥ              ユーザ装置（Ｕｓｅｒ  Ｅｑｕｉｐｍｅｎｔ）
【０００３】
第３世代パートナーシッププロジェクト（３ＧＰＰ）の仕様は、第３世代の移動電話システムのための標準規格である。このシステムは、異なるユーザに対して異なるユーザデータレートを適用することをサポートする。特定のユーザのために使用される送信電力は、特定のセルにおける干渉レベル、ユーザデータレート、チャネル品質、およびそのセルにおけるデータ伝送に関して要求される品質によって決定される。
【０００４】
（例えばＷＣＤＭＡシステムである）このシステムは、高速下り共有チャネル（ＨＳ−ＤＳＣＨ）と呼ばれる、下りのトランスポートチャネルを有する。ＨＳ−ＤＳＣＨは、双方向性があり、バックグラウンドで動作可能であり、さらにストリーミングがある程度可能な、下り方向の無線アクセスベアラ（ＲＡＢ）サービスのための強化されたサポートを提供する。より具体的には、ＨＳ−ＤＳＣＨは、以下のことを可能にする。
・伝送容量の大容量化
・遅延時間の削減
・ピーク時のデータレート（データ伝送速度）の著しい高速化
【０００５】
ＨＳ−ＤＳＣＨでの伝送は、以前から知られている下り共有チャネル（ＤＳＣＨ）と同様、共有チャネルでの伝送に基づいている。しかしながら、ＨＳ−ＤＳＣＨでの伝送は、ＤＳＣＨではサポートされていない、いくつかの新しい特徴をサポートする。
【０００６】
・ＨＳ−ＤＳＣＨは、より高次の変調方式の使用をサポートする。これにより、ピーク時のデータレートをさらに高速化し、伝送容量をさらに大容量化することが可能となる。
【０００７】
・ＨＳ−ＤＳＣＨは、高速リンク適応制御および高速チャネル依存(channel-dependent)スケジューリングをサポートする。すなわち、スケジュール決定時のみならず伝送パラメータの選択時にも、瞬間的な無線チャネルの状態が考慮され得る。これにより、転送容量をさらに大容量化することが可能となる。
【０００８】
・ＨＳ−ＤＳＣＨは、高速ハイブリッドＡＲＱ（ＨＡＲＱ）によるソフト合成を伴う再送をサポートする。これにより、再送の時間間隔のみならず再送の回数を減少させることができる。そして、伝送容量をさらに大容量化し、遅延を著しく減少させることが可能となる。ハイブリッドＡＲＱ（ＨＡＲＱ）によるソフト合成を伴う再送を使用することにより、リンク適応制御のロバスト性も強化される。
【０００９】
ＨＳ−ＤＳＣＨは、ＲＮＣおよびＢＴＳ、並びにＵＥに存在する、ＭＡＣ層（レイヤ）において使用される。ＭＡＣ層は、物理層（ＰＨＹ）の上位、ＲＬＣ層の下位に位置する層である。ＲＬＣ層は論理チャネルを制御し、ＭＡＣ層はトランスポートチャネルを制御する。
【００１０】
既存の無線インタフェースのプロトコルのアーキテクチャに対する影響を最小限にしつつ上述の特徴をサポートするために、ＭＡＣ層は、ＭＡＣ−ｈｓ副層（サブレイヤ）を追加することによって拡張された。ＭＡＣ−ｈｓ副層は、ＭＡＣ−ｄ層とＰＨＹ層との間に配置されている。どちらの副層も、ＨＳ−ＤＳＣＨでの伝送のために使用される。ＭＡＣ−ｈｓ副層は、ハイブリッドＡＲＱのための再送遅延を減少させ、且つリンク適応制御およびチャネル依存スケジューリングのために可能な限り最新のチャネル品質の推定を可能にするために、（ノードＢとしても知られる）ＢＴＳ、およびＵＥに位置している。同じ理由のために、ＨＳ−ＤＳＣＨは、２ミリ秒に等しいＨＳ−ＴＴＩを使用する。
【００１１】
ＨＳ−ＤＳＣＨは、２００３年３月時点で、３ＧＰＰの仕様においてＵＴＲＡ／ＦＤＤ（ＷＣＤＭＡ）およびＵＴＲＡ／ＴＤＤの両方に規定されている。
【００１２】
ＢＴＳがセルを運用すること、およびＢＴＳのスケジューリングアルゴリズムが、そのセルにおけるどのＵＥまたは複数のＵＥが伝送を許可されるかということをＨＳ−ＴＴＩ毎に決定するということは、以前から知られている。ＵＥまたは複数のＵＥは、例えば歩行中の人間、または乗り物に乗っている人間によって操作される、いかなる移動体装置であってもよいし、固定装置であってもよい。ＭＡＣ−ｈｓのスケジューラ（ＭＡＣ−ｈｓスケジューラ）による決定は、各々のＨＳ−ＴＴＩに対して実行される。
【００１３】
ＭＡＣ−ｈｓスケジューラは、ＢＴＳに配置されており、ＭＡＣ−ｈｓ層およびＰＨＹ層にまたがっている。ＭＡＣ−ｈｓスケジューラは、例えばデータ待ち時間、チャネル品質、ＵＥの性能、および重要なデータの優先度などの、いくつかのパラメータに基づき得る。ノードＢは、１つのＴＴＩの間に並行していくつかのＵＥへデータを伝送することができる。
【００１４】
位置情報サービスのための時間差測定をサポートするために、ダウンリンクにおいて（ＩＰＤＬと呼ばれる）アイドル期間が生成される。アイドル期間中は、全チャネルにおけるＢＴＳからの伝送が一時的に停止される。このようなアイドル期間中に、ＵＥからの隣接セルの視界（視認度）が改善される。
【００１５】
アイドル期間は、より高位層のパラメータに従って、所定の擬似乱数の方法で用意される。継続時間が比較的短く、全チャネルが同時に停止し、且つデータ損失を防止するいかなる試みも行われないという点で、アイドル期間は圧縮モード(compressed mode)とは異なる。一般に、アイドル期間には２つのモードが存在する。すなわち、
・連続モード(continuous mode)、および
・バーストモード
である。
【００１６】
連続モードにおいては、アイドル期間はずっと有効である。バーストモードにおいては、アイドル期間はバースト的に発生し、各バーストは、ＵＥが自分の位置を計算するために十分な測定を行うことが可能な十分なアイドル期間を含む。バーストは、アイドル期間が発生していない期間から分離される。今日、アイドル期間は、約０．５スロットから１スロットの長さである。
【００１７】
既存の方法における問題点の１つは、アイドル期間がシステムの効率に影響を及ぼすことである。なぜなら、ＨＳ−ＰＤＳＣＨおよびＨＳ−ＤＳＣＨのデータのうちの少なくとも一方がアイドル期間内に伝送されるという事実が原因で、ＢＴＳ内のＭＡＣ−ｈｓにおける再送機能は、多数の再送を実行および要求しなければならないからである。
【００１８】
それゆえ、改良されたより効率的なシステムが必要とされている。
【発明の開示】
【発明が解決しようとする課題】
【００１９】
本発明は、ＨＳ−ＰＤＳＣＨにおけるデータ伝送のためのより良い方法を導き出すという課題を解決することを意図する。この課題は、添付の請求の範囲に従う装置および方法によって解決される。
【課題を解決するための手段】
【００２０】
本発明は、少なくとも１つのユーザ装置（ＵＥ）を含むセルを運用する少なくとも１つの基地局（ＢＴＳ）を制御するための無線ネットワーク制御装置（ＲＮＣ）を含む、高速下りパケットアクセス（ＨＳＤＰＡ）のための移動体データ伝送システムにおける、ＭＡＣ−ｈｓスケジューラのための方法に関する。前記無線ネットワーク制御装置（ＲＮＣ）が、前記基地局（ＢＴＳ）からの伝送におけるアイドル期間をスケジューリングする。前記ＭＡＣ−ｈｓスケジューラが前記基地局（ＢＴＳ）に配置されており、前記ユーザ装置（ＵＥ）が高速物理下り共有チャネル（ＨＳ−ＰＤＳＣＨ）でのデータ伝送を許可されるか否かを高速伝送時間間隔（ＨＳ−ＴＴＩ）毎に決定する。
【００２１】
前記方法は、前記ＭＡＣ−ｈｓスケジューラが、前記アイドル期間を確認し、前記ＨＳ−ＴＴＩが少なくとも１つのアイドル期間と同時に発生する場合はＨＳ−ＰＤＳＣＨでのデータ伝送を禁止することを特徴とする。
【００２２】
本発明の利点の１つは、無駄なデータ伝送が防止（回避）されることである。以前から知られている方法では、ＭＡＣ−ｈｓスケジューラは、どのＵＥがデータ伝送を許可されるかを決定する際に、アイドル期間下りリンク（ＩＰＤＬ）によるアイドル期間を考慮しない。それゆえ、アイドル期間と同時に発生したＨＳ−ＴＴＩ間の、ＨＳ−ＰＤＳＣＨでの全てのデータ伝送は、再送されなければならない。このことは、例えば干渉のために、問題となる。本発明はそれゆえ、干渉に関する問題に対する解法を提供する。
【００２３】
さらに、本発明は、１つのＨＳ−ＴＴＩに対するデータ伝送を遅延させる。一方、以前から知られている再送のためのシステムは、発生し得るタイムアウト前にＨＡＲＱ再送がデータの再送を処理できる場合、少なくとも６つのＨＳ−ＴＴＩに対するデータ伝送を遅延させる。本発明はそれゆえ、あまりにも多い再送が原因で増加する遅延に関する問題に対する解法を提供し、より効率的なシステムを提供する。
【００２４】
前記ＲＮＣは、少なくとも１／２スロット乃至１スロット長のアイドル期間をスケジューリングする。ここで、１スロットは、高速伝送時間間隔（ＨＳ−ＴＴＩ）の１／３である。アイドル期間は１タイムスロット分まで長くなり得るので、アイドル期間中に何らかのＨＳ−ＤＳＣＨでのデータ伝送を行うことはリソースの無駄遣いであり、本発明はこの無駄遣いを有効に抑制する。
【００２５】
本発明の一実施形態において、前記高速伝送時間間隔（ＨＳ−ＴＴＩ）は２ミリ秒間のデータ伝送を可能にする。
【００２６】
本発明は、主として現在の３ＧＰＰ、およびシステムにおける最新のデータに関する。本システムの将来のバージョンでは、１タイムスロットは、上述したものと異なる長さを持っても構わず、ＨＳ−ＴＴＩについても同様である。
【００２７】
従来技術で説明されてきたように、ＭＡＣ−ｈｓスケジューラはＭＡＣ−ｈｓ副層（ＭＡＣ−ｈｓ）および物理層（ＰＨＹ）の上にまたがっている。
【００２８】
本発明はまた、少なくとも１つのユーザ装置（ＵＥ）を含むセルを運用する少なくとも１つの基地局（ＢＴＳ）を制御するための無線ネットワーク制御装置（ＲＮＣ）を含む、高速下りパケットアクセス（ＨＳＤＰＡ）のための移動体データ伝送システムに関する。前記無線ネットワーク制御装置（ＲＮＣ）が、前記基地局（ＢＴＳ）からの伝送におけるアイドル期間（ＩＰＤＬ）をスケジューリングする手段を含む。ＭＡＣ−ｈｓスケジューラが前記基地局（ＢＴＳ）に配置されており、前記ユーザ装置（ＵＥ）が高速物理下り共有チャネル（ＨＳ−ＰＤＳＣＨ）でのデータ伝送を許可されるか否かを高速伝送時間間隔（ＨＳ−ＴＴＩ）毎に決定するようになされている。
【００２９】
本発明は、前記ＭＡＣ−ｈｓスケジューラが、前記アイドル期間を確認し、前記高速伝送時間間隔（ＨＳ−ＴＴＩ）が少なくとも１つのアイドル期間と同時に発生する場合は前記高速物理下り共有チャネル（ＨＳ−ＰＤＳＣＨ）でのデータ伝送を禁止するようになされていることを特徴とする。
【００３０】
本システムの利点は、上述した本発明の方法に関連して既に説明されている。
【００３１】
本発明を現在の３ＧＰＰシステムに鑑みて以下に規定するが、将来のシステムにおいては、多数のデータが変更されても構わない。
【００３２】
位置情報サービスのための時間差測定をサポートするために、ダウンリンクにおいて（ＩＰＤＬと呼ばれる）アイドル期間が生成される。アイドル期間中は、全チャネルにおけるＢＴＳからの伝送が一時的に停止される。このようなアイドル期間中に、ＵＥに隣接する（複数の）セルに対する感度(visibility)が更新(improved)される。
【００３３】
アイドル期間は、より高位層のパラメータに従って、所定の擬似乱数の方法で用意される。継続時間が比較的短く、全チャネルが同時に停止し、且つデータ損失を防止するいかなる試みも行われないという点で、アイドル期間は圧縮モード(compressed mode)とは異なる。
【００３４】
一般に、アイドル期間には２つのモードが存在する。すなわち、
・連続モード(continuous mode)、および
・バーストモード
である。
【００３５】
連続モードにおいては、アイドル期間はずっと有効である。バーストモードにおいては、アイドル期間はバースト的に発生し、各バーストは、ＵＥが自分の位置を計算するために十分な測定を行うことが可能な十分なアイドル期間を含む。バーストは、アイドル期間が発生していない期間から分離される。
【００３６】
一例として、以下のパラメータがより高位層でＵＥへ信号伝達される。
ＩＰ＿Ｓｔａｔｕｓ：  これは、アイドル期間が連続モードまたはバーストモードのどちらで用意されるかを示す論理値である。
ＩＰ＿Ｓｐａｃｉｎｇ：  アイドル期間を含む無線フレームの開始店とアイドル期間を含む次の無線フレームとの間の、１０ミリ秒の無線フレームの数である。なお、１つの無線フレーム中には最大でも１つのアイドル期間しか存在しない。
ＩＰ＿Ｌｅｎｇｔｈ：  ＣＰＩＣＨのシンボルで表現される、アイドル期間の長さである。
ＩＰ＿Ｏｆｆｓｅｔ：  ＢＴＳ中の異なるセクタのアイドル期間と同期を取るために使用可能な、セル固有のオフセット（補正値）である。
Ｓｅｅｄ：  擬似乱数生成のためのシードである。
【００３７】
さらに、バーストモードでの動作の場合、以下のパラメータもＵＥへ通信される。
Ｂｕｒｓｔ＿Ｓｔａｒｔ：  アイドル期間の最初のバーストの開始点を示すものである。２５６×Ｂｕｒｓｔ＿Ｓｔａｒｔは、アイドル期間の最初のバーストが開始するＳＦＮ（システムフレーム番号）である。
【００３８】
Ｂｕｒｓｔ＿Ｌｅｎｇｔｈ：アイドル期間のバースト中のアイドル期間の数である。
Ｂｕｒｓｔ＿Ｆｒｅｑｕｅｎｃｙ：  バーストの開始点と次のバーストの開始点との間の時間を示すものである。２５６×Ｂｕｒｓｔ＿Ｆｒｅｑは、バーストの開始点と次のバーストの開始点との間の、プライマリＣＰＩＣＨの無線フレームの数である。
【００３９】
アイドル期間の位置を計算する方法の一例を以下に示す。
【００４０】
バーストモードでは、バースト＃０は、ＳＦＮ＝２５６×Ｂｕｒｓｔ＿Ｓｔａｒｔである無線フレームにおいて開始する。バースト＃ｋは、ＳＦＮ＝２５６×Ｂｕｒｓｔ＿Ｓｔａｒｔ＋ｋ×Ｂｕｒｓｔ＿Ｆｒｅｑ（ｋ＝０，１，２，・・・）である無線フレームにおいて開始する。この式に従うバーストのシーケンスは、ＳＦＮ＝４０９５である無線フレームまで続く（ＳＦＮ＝４０９５の無線フレームを含む）。ＳＦＮ＝０である無線フレームの開始点において、バーストのシーケンスは終了し（アイドル期間は生成されない）、ＳＦＮ＝２５６×Ｂｕｒｓｔ＿Ｓｔａｒｔにおいて、バーストのシーケンスがバースト＃０から再開され、上述した様にバースト＃１などと続く。
【００４１】
連続モードはバーストモードと同等であるが、全部で４０９６であるＳＦＮのサイクルに亘って１つのバーストしか存在せず、このバーストは、ＳＦＮ＝０である無線フレームにおいて開始する。
【００４２】
ＩＰ＿Ｐｏｓｉｔｉｏｎ（ｘ）がバースト中のアイドル期間番号ｘの位置であり（ここで、ｘ＝１，２，．．．である）、ＩＰ＿Ｐｏｓｉｔｉｏｎ（ｘ）が、バーストの最初の無線フレームの開始点からのＣＰＩＣＨシンボルの数において測定されるものとする。
【００４３】
すると、各々のバースト中のアイドル期間の位置は、次の式で与えられる。
ＩＰ＿Ｐｏｓｉｔｉｏｎ（ｘ）＝（ｘ  ×  ＩＰ＿Ｓｐａｃｉｎｇ  ×１５０）＋（ｒａｎｄ（ｘ  ｍｏｄｕｌｏ  ６４）  ｍｏｄｕｌｏ  （１５０−ＩＰ＿Ｌｅｎｇｔｈ））＋ＩＰ＿Ｏｆｆｓｅｔ
ここで、ｒａｎｄ（ｍ）は、以下の様に定義される、擬似乱数生成器である。
ｒａｎｄ（０）＝Ｓｅｅｄ
ｒａｎｄ（ｍ）＝（１０６×ｒａｎｄ（ｍ−１）＋１２８３）  ｍｏｄｕｌｏ  ６０７５，  ｍ＝１，２，３，
なお、ｘは、バースト毎に最初のアイドル期間に対してｘ＝１にリセットされる。
【００４４】
本発明は、例えば以前から知られている、ＨＳ−ＰＤＳＣＨを使用するＵＭＴＳなどのようなデータ伝送システムにおいて好適に使用されるが、ユーザ装置と基地局との間でデータ（好ましくはデータパケット）が通信される他のシステムにおいても使用可能である。
【００４５】
ＨＳ−ＤＳＣＨでの伝送は、５つの主要技術に基づいている。すなわち、共有チャネルでの伝送、高次の変調方式、リンク適応制御無線チャネル依存スケジューリング、およびソフト合成を伴うハイブリッドＡＲＱである。
【００４６】
共有チャネルでの伝送は、セルにおける所定量の無線リソース（ＣＤＭＡの場合はコードスペースおよび電力）が、主として時間領域においてユーザ間で動的に共有される共有リソースとして見られるということを意味する。ＷＣＤＭＡの下り共有チャネル（ＤＳＣＨ）を用いた伝送は、共有チャネルでの伝送の一例である。ＤＳＣＨでの伝送の主な利点は、専用（個別）チャネルを使用することに比べて、利用可能なコード（符号）資源（リソース）を有効利用できるということ、すなわちコードが限られた下りリンクのリスクを低減させられるということである。しかしながら、ＨＳ−ＤＳＣＨの導入により、共有チャネルでの伝送に関するいくつかの他の利点も利用可能である。
【００４７】
しかしながら、本発明をさらに説明するために、ＨＳＤＰＡシステムについて言及する。ＨＳＤＰＡは、伝送されるデータの量、いつ伝送されるか、および使用される伝送電力を、ノードＢ（ＢＴＳ）が決定するサービスである。
【００４８】
ＨＳ−ＴＴＩ毎に、新規のＨＳＤＰＡによる伝送が行われる。これは、高速伝送時間間隔（ＨＳ−ＴＴＩ）である２ミリ秒に対応する。本発明は、ＴＴＩが２ミリ秒に限定されるものではなく、他の時間間隔を使用してもよい。
【００４９】
本発明に従うデータ伝送システムがどのように構成されるかということに関する例として、以下さらにＨＳＤＰＡを説明する。
【００５０】
高速下りパケットアクセス（ＨＳＤＰＡ）は、Ｗ−ＣＤＭＡの下りリンクにおけるパケットベースのデータサービスであり、ＷＣＤＭＡのダウンリンクにおいて５ＭＨｚの帯域上で最大１４Ｍｂｐｓまでのデータ伝送が行われる。ＨＳＤＰＡの実装は、適応変調符号化（ＡＭＣ）、ハイブリッド自動再送要求（ＨＡＲＱ）、高速セルサーチ、および先進的な受信機設計を含む。
【００５１】
第３世代パートナーシッププロジェクト（３ＧＰＰ）の標準規格は、ＨＳＤＰＡを含むように発展してきた。３Ｇのシステムは、電話、ページング、メッセージング、インターネット、およびブロードバンドデータを含む広範なサービスについて大域的な(global)モビリティを提供することを意図している。ＨＳＤＰＡがパーツとして含まれる全ての３Ｇの標準規格は、持続的に発展中である。そのような発展の例が、ＨＳＤＰＡを使用することである。
【００５２】
ＵＭＴＳは、（音声やＳＭＳのような）遠隔サービス、およびベアラサービスを提供する。これらのサービスは、アクセスポイント間の情報転送のための機能を提供する。セッションまたは接続を確立する際、およびセッションまたは接続の継続中に、ベアラサービスの特性を交渉および再交渉することが可能である。
【００５３】
ＵＭＴＳのネットワークは、相互に作用する３つのドメイン（領域）から構成される。すなわち、コアネットワーク（ＣＮ）、ＵＭＴＳ地上無線アクセスネットワーク（ＵＴＲＡＮ）、およびユーザ装置（ＵＥ）である。コアネットワークの主な機能は、ユーザトラフィックのために、スイッチング、ルーティング、およびトランジットを提供することである。コアネットワークはまた、データベース機能およびネットワーク管理機能も含む。
【００５４】
ＵＴＲＡＮは、ユーザ装置のために、エアインタフェースへのアクセス方法を提供する。基地局はノードＢと呼ばれ、ノードＢの制御装置は、無線ネットワーク制御装置（ＲＮＣ）と呼ばれる。
【００５５】
コアネットワークは、回線交換ドメインとパケット交換ドメインとに分割される。
【００５６】
コアネットワークのアーキテクチャは、新しいサービスおよび特徴が導入される時に、変更可能である。
【００５７】
広帯域ＣＤＭＡの技術が、ＵＴＲＡＮのエアインタフェースのために選択された。ＵＭＴＳ  ＷＣＤＭＡは、直接拡散(Direct Sequence)ＣＤＭＡシステムであり、ユーザデータは、ＷＣＤＭＡ拡散符号に由来する擬似乱数ビットに掛け合わされる。ＵＭＴＳにおいては、チャネライゼーションに加えて、同期およびスクランブリングのための符号が使用される。ＷＣＤＭＡは２つの基本的な動作モードを持つ。すなわち、周波数分割複信（ＴＤＤ）および時分割複信（ＴＤＤ）である。
【００５８】
ノードＢの機能は以下の通りである。
・エアインタフェース送信／受信
・変調／復調
・ＣＤＭＡ物理チャネル符号化
・マイクロダイバーシチ(Micro Diversity)
・エラー処理
・閉ループ電力制御
・ＨＳＤＰＡデータのスケジューリング
【００５９】
ＲＮＣの機能は以下の通りである。
・無線リソース制御
・接続許可制御（アドミッションコントロール）
・チャネル割当
・電力制御設定
・ハンドオーバー制御
・マクロダイバーシチ
・暗号化
・セグメンテーション／再構成
・ブロードキャストシグナリング
・開ループ電力制御
【００６０】
ＵＭＴＳの標準規格は、ＵＥの機能をいかなる方法でも制限しない。端末は、ノードＢに対応するエアインタフェースとして機能する。
【００６１】
多数の図面と一緒に、本発明を以下に説明する。
【発明を実施するための最良の形態】
【００６２】
図１は、本発明に従う移動体データ伝送システムを概略的に示す図である。本システムは、少なくとも１つのユーザ装置（ＵＥ）を含むセルを運用する少なくとも１つの基地局（ＢＴＳ）を制御するための、無線ネットワーク制御装置（ＲＮＣ）を含む。ＲＮＣは、ＢＴＳからの伝送におけるアイドル期間をスケジューリングする。本システムは、ＢＴＳに位置するＭＡＣ−ｈｓスケジューラ１を含み、ＵＥが高速物理下り共有チャネル（ＨＳ−ＰＤＳＣＨ）でのデータ伝送を許可されるか否かを高速伝送時間間隔（ＨＳ−ＴＴＩ）毎に決定する。ＭＡＣ−ｈｓスケジューラは、アイドル期間を確認し、ＨＳ−ＴＴＩが少なくとも１つのアイドル期間と同時に発生する場合はＨＳ−ＰＤＳＣＨでのデータ伝送を禁止する。
【００６３】
図１において、ＭＡＣ−ｈｓスケジューラは、ＭＡＣ−ｈｓ副層（ＭＡＣ−ｈｓ）および物理層（ＰＨＹ）の上にまたがっている。
【００６４】
図２は、本発明に従う方法に関するブロック図である。ＭＡＣ−ｈｓスケジューラは、アイドル期間がＨＳ−ＴＴＩと同時に発生するか否かを検査するアルゴリズムを使用する。図２において、ブロック２１は、ＲＮＣから情報を収集するステップを含む。ブロック２２は、情報を分析し、アイドル期間とＨＳ−ＴＴＩとを比較するステップを含む。
【００６５】
ブロック２３は、アイドル期間がＨＳ−ＴＴＩと同時に発生する状況を示す。そして、ブロック２３は、ＵＥへのＨＳ−ＰＤＳＣＨでのデータ伝送を許可しないステップを含む。
【００６６】
ブロック２４は、アイドル期間がＨＳ−ＴＴＩと同時に発生しない状況を示す。そして、ブロック２４は、ＵＥへのＨＳ−ＰＤＳＣＨでのデータ伝送を許可するステップを含む。
【図面の簡単な説明】
【００６７】
【図１】本発明に従うシステムを概略的に示す図である。
【図２】本発明に従う方法に関するブロック図を概略的に示す図である。
【図１】
2008501290.tif 000003
【図２】
2008501290.tif 000004
【国際調査報告】
2008501290.tif 000005
2008501290.tif 000006
2008501290.tif 000007